(57)【要約】【課題】商品の陳列に用いることが可能であり、携帯性に優れる紙組立体を提供すること。【解決手段】筒体１９Ａ，１９Ｂと下端部を閉鎖する蓋とから構成される収納部１３をそれぞれ有する箱体１０Ａ，１０Ｂと、裏板１４Ａ，１４Ｂを上から挟んで上方に突出するように折り曲げられており、両下端部が収納部１３内にそれぞれ挿入される内装材５０と、を備える紙組立体２００が提供される。筒体１９Ａ，１９Ｂは、側板１６，１８の下端に連設するフラップを備える。蓋は、表板１２Ａ（１２Ｂ）又は裏板１４Ａ（１４Ｂ）の一方の下端に連設し、筒体の下端部を閉鎖する蓋本体部を備える。内装材５０は、上方に突出するように折り曲げられてなる折り曲げ部を含む取手部５４と、裏板１４Ａ，１４Ｂから表板１２Ａ，１２Ｂに向かって突出するように設けられる差し込み部を備える。そして、差し込み部がフラップと蓋本体部との間に挟持されている。【選択図】図１３
2017149470.tif 000002
【特許請求の範囲】
【請求項１】
筒体と前記筒体の両端部を開閉可能に設けられる蓋とを備える箱本体部と、該箱本体部に収容されて収納部を形成する内装材と、を備える紙箱であって、
前記筒体は、
周方向に沿って中央部に２条のミシン目で形成される帯状のジッパー部が延在する表板と、
前記表板に対向して配置され、前記表板の前記ジッパー部に向かって突出するように折り曲げ可能に形成される裏板と、
前記表板及び前記裏板の両側部に連設し、前記表板から連続して前記ジッパー部が延在する一対の側板と、
前記一対の側板の両端に連設するフラップと、を備え、
前記蓋は、
前記表板及び前記裏板の一方の両端に連設し、前記筒体の両端部を閉鎖する蓋本体部と、
前記蓋本体部の先端に連設し、前記表板及び前記裏板の他方と前記内装材との間に挿入される鍔部と、を備え、
前記内装材は、
前記裏板と重なり合うように配置される支持部と、
前記支持部の中央部に、前記裏板から前記表板に向かって突出し、前記ジッパー部を切り取った時に外部に露出するように設けられる取手部と、
前記支持部の両端にそれぞれ連設され、前記裏板から前記表板に向かって突出するように設けられる差し込み部と、を備え、
前記差し込み部が、前記フラップと前記蓋本体部との間に挟持されている紙箱。
【請求項２】
前記蓋本体部は、前記裏板の両端に連設し、
前記鍔部は、前記表板と前記内装材との間に挿入される、請求項１に記載の紙箱。
【請求項３】
前記内装材は、前記取手部の長手方向に直交するように延在し、前記裏板から前記表板に向かって突出して、前記収納部を複数に区画する突出部を備える、請求項１又は２に記載の紙箱。
【請求項４】
前記取手部は、山折りで形成されており、折線を介して対向するように係止手段と被係止手段とを有する、請求項１〜３のいずれか一項に記載の紙箱。
【請求項５】
前記内装材及び前記箱本体部の少なくとも一方は、一枚の台紙で形成されている、請求項１〜４のいずれか一項に記載の紙箱。
【請求項６】
前記裏板は、前記ジッパー部に向かって突出するように折り曲げられて背合わせ状にしたときの形状を保持する保持手段を有する、請求項１〜５のいずれか一項に記載の紙箱。
【請求項７】
請求項１〜６のいずれか一項に記載の紙箱と、前記収納部に収納されている被梱包物と、を備える梱包体。
【請求項８】
裏板の一方面同士が対向するように連結される一対の筒体と、前記一対の筒体のそれぞれの下端部を閉鎖する蓋と、から構成される収納部をそれぞれ有する一対の箱体と、一対の前記裏板を上から挟んで上方に突出するように折り曲げられており、両下端部が前記一対の箱体の前記収納部内にそれぞれ挿入される内装材と、を備える紙組立体であって、
前記筒体は、
前記裏板と、
前記裏板と対向するように配置される表板と、
前記裏板及び表板の両側部に連設する一対の側板と、
前記一対の側板の下端に連設するフラップと、を備え、
前記蓋は、
前記表板及び前記裏板の一方の下端に連設し、前記筒体の下端部を閉鎖する蓋本体部と、
前記蓋本体部の先端に連設し、前記表板及び前記裏板の他方と前記内装材との間に挿入される鍔部と、を備え、
前記内装材は、
上方に突出するように折り曲げられてなる折り曲げ部を含む取手部と、
前記取手部の下端に連設し、前記裏板と重なり合うように配置される支持部と、
前記支持部の下端に連設し、前記裏板から前記表板に向かって突出するように設けられる差し込み部と、を備え、
前記差し込み部が、前記フラップと前記蓋本体部との間に挟持されている紙組立体。
【請求項９】
前記蓋本体部は、前記裏板の下端に連設し、
前記鍔部は、前記表板と前記内装材との間に挿入される、請求項８に記載の紙組立体。
【請求項１０】
前記蓋本体部は、前記表板の下端に連設し、
前記一対の筒体の一方における前記蓋の前記鍔部は、前記一対の筒体の他方における前記裏板と、当該他方における前記蓋の前記鍔部と、の間に挿入される、請求項８に記載の紙組立体。
【請求項１１】
前記内装材は、前記裏板から前記表板に向かって突出する突出部を有し、前記突出部は、上下方向に延在して前記収納部を複数に区画する、請求項８〜１０のいずれか一項に記載の紙組立体。
【請求項１２】
前記一対の筒体の一方面同士の位置関係を保持する保持手段を有する、請求項８〜１１のいずれか一項に記載の紙組立体。
【請求項１３】
前記取手部は、前記折り曲げ部の折線を介して対向するように係止手段と被係止手段とを有する、請求項８〜１２のいずれか一項に記載の紙組立体。
【請求項１４】
前記内装材及び前記箱体の少なくとも一方は、一枚の台紙で形成されている、請求項８〜１３のいずれか一項に記載の紙組立体。
【請求項１５】
請求項８〜１４のいずれか一項に記載の紙組立体と、前記収納部に収納されている被収納物と、を備える、収納体。
【発明の詳細な説明】
【技術分野】
【０００１】
本発明は、紙箱、梱包体、紙組立体、及び収納体に関する。
【背景技術】
【０００２】
商品を収容する容器として紙箱が用いられている。このような紙箱の内部には、商品を所定位置に配置するために、商品の大きさ及び形状に応じて、内部空間を仕切る仕切壁が設けられている。仕切壁を設けることによって、紙箱内部での商品の移動が抑制される。特許文献１では、仕切壁を、１枚のシートを折り畳んで起立させて仕切壁を形成することが提案されている。これによって、資源の再利用率の向上が図られている。
【先行技術文献】
【特許文献】
【０００３】
【特許文献１】特開２００２−３４７７５１号公報
【発明の概要】
【発明が解決しようとする課題】
【０００４】
紙製の容器は、他の材料に比べて軽量であることから携帯性に優れる。このため、商品を梱包する梱包体として有用である。このような梱包体は、そのまま持ち運ばれて、商品の陳列にも用いられることがある。このため、持ち運びが容易で、商品の陳列が可能な紙製の容器が求められている。
【０００５】
そこで、本発明は、一つの側面において、商品の陳列に用いることが可能であり、携帯性に優れる紙組立体及び収納体を提供することを目的とする。また、別の側面において、上述の紙組立体及び収納体を容易に作製することが可能な紙箱及び梱包体を提供することを目的とする。
【課題を解決するための手段】
【０００６】
本発明は、一つの側面において、筒体と該筒体の両端部を開閉可能に設けられる蓋とを備える箱本体部と、該箱本体部に収容されて収納部を形成する内装材と、を備える紙箱を提供する。上記筒体は、周方向に沿って中央部に２条のミシン目で形成される帯状のジッパー部が延在する表板と、表板に対向して配置され、表板のジッパー部に向かって突出するように折り曲げ可能に形成される裏板と、表板及び裏板の両側部に連設し、表板から連続してジッパー部が延在する一対の側板と、一対の側板の両端に連設するフラップと、を備える。
【０００７】
上記蓋は、表板及び裏板の一方の両端に連設し、筒体の両端部を閉鎖する蓋本体部と、蓋本体部に連設し、表板及び裏板の他方と内装材との間に挿入される鍔部と、を備える。上記内装材は、裏板と重なり合うように配置される支持部と、支持部の中央部に、裏板から表板に向かって突出し、ジッパー部を切り取った時に外部に露出するように設けられる取手部と、支持部の両端にそれぞれ連設され、裏板から表板に向かって突出するように設けられる差し込み部と、を備える。そして、差し込み部はフラップと蓋本体部との間に挟持されている。
【０００８】
上記紙箱は、箱本体部と、該箱本体部に収容されて収納部を形成する内装材と、を備える。このように収納部を形成する内装材を備えることから、商品を収納部に収納したまま持ち運んでも、商品の配列が乱れることを抑制できる。そして、箱本体部の表板はジッパー部を備え、裏板はジッパー部に向かって突出するように折り曲げ可能に形成されている。このため、ジッパー部を切り取って裏板を折り曲げることによって、紙組立体を容易に形成することができる。内装材の差し込み部が、箱本体部のフラップと蓋本体部との間に挟持されていることから、紙本体部に対する内装材の相対的な移動が規制されている。このため、商品を陳列するための紙組立体又は収納体としたときに、内装材の取手部を手で掴んで持ち運んでも、内装材と箱本体部とが分離することを抑制することができる。したがって、上述の紙箱から、商品の陳列が可能であり、携帯性に優れる紙組立体を容易に作製することができる。
【０００９】
蓋本体部は裏板の両端に連設し、鍔部は表板と内装材との間に挿入されることが好ましい。これによって、蓋の閉鎖性を十分に高めるとともに、紙組立体の作製を容易にすることができる。
【００１０】
内装材は、取手部の長手方向に直交するように延在し、裏板から表板に向かって突出して、収納部を複数に区画する突出部を備えることが好ましい。これによって、商品（被梱包物）を梱包して持ち運んだ場合に、商品の配列が乱れることを一層抑制することができる。また、紙箱を、商品を陳列するための紙組立体又は収納体としたときに、商品の傾き又は倒れ込みが抑制され、商品の取り出しを容易にすることができる。また、商品を十分に整然と陳列することができる。
【００１１】
取手部は、山折りで形成されており、折線を介して対向するように係止手段と被係止手段とを有することが好ましい。これによって、取手部の形状が安定して、紙組立体としたときの携帯性を一層優れたものとすることができる。
【００１２】
内装材及び箱本体部の少なくとも一方は、一枚の台紙で形成されていることが好ましい。これによって、製造コストを十分に低減することができる。上記裏板は、ジッパー部に向かって突出するように折り曲げられて背合わせ状にしたときの形状を保持する保持手段を有することが好ましい。これによって、紙組立体又は収納体としたときの形状を一層安定させることができる。
【００１３】
本発明は、別の側面において、上述の紙箱と、上記収納部に収納されている被梱包物と、を備える梱包体を提供する。この梱包体は、上述の紙箱を備えることから、携帯性に優れる収納体を容易に形成することができる。また、このような収納体によれば、被梱包物である商品を容易に陳列することできる。
【００１４】
本発明は、さらに別の側面において、裏板の一方面同士が対向するように連結される一対の筒体と、一対の筒体のそれぞれの下端部を閉鎖する蓋と、から構成される収納部をそれぞれ有する一対の箱体と、一対の裏板を上から挟んで上方に突出するように折り曲げられており、両下端部が一対の箱体の収納部内にそれぞれ挿入される内装材と、を備える紙組立体を提供する。上記筒体は、裏板と、裏板と対向するように配置される表板と、裏板及び表板の両側部に連設する一対の側板と、一対の側板の下端に連設するフラップと、を備える。
【００１５】
蓋は、表板及び裏板の一方の下端に連設し、筒体の下端部を閉鎖する蓋本体部と、蓋本体部の先端に連設し、表板及び裏板の他方と内装材との間に挿入される鍔部と、を備える。上記内装材は、上方に突出するように折り曲げられてなる折り曲げ部を含む取手部と、取手部の下端に連設し、裏板と重なり合うように配置される支持部と、支持部の下端に連設し、裏板から表板に向かって突出するように設けられる差し込み部と、を備える。そして、差し込み部が、フラップと蓋本体部との間に挟持されている。
【００１６】
上記紙組立体は、収納部をそれぞれ有する一対の箱体と、該箱体の裏面を挟んで上方に突出するように折り曲げられてなり、下端部が箱体の収納部内に挿入される内装材とを備える。この紙組立体は、収納部を有することから、商品を収納して陳列することが可能である。また、内装材は、上端に折り曲げ部を含む取手部を有する。そして、内装材の差し込み部が、箱体のフラップと蓋本体部との間に挟持されていることから、箱体に対する内装材の相対的な移動が規制されている。したがって、内装材の取手部を手で掴んで持ち運んでも、内装材と箱体とが分離することを抑制することができる。このように紙組立体は携帯性に優れる。
【００１７】
幾つかの実施形態では、蓋本体部は裏板の下端に連設し、鍔部は、表板と内装材との間に挿入されることが好ましい。これによって、蓋の閉鎖性を十分に高めるとともに、紙組立体の作製を容易にすることができる。
【００１８】
別の幾つかの実施形態では、蓋本体部は、表板の下端に連設し、一対の筒体の一方における蓋の鍔部は、一対の筒体の他方における裏板と、当該他方における蓋の鍔部との間に挿入されることが好ましい。このような紙組立体では、筒体の一方における表板の下端に連設する蓋によって、一対の箱体同士が底部において連結されることとなる。このため、一対の箱体同士の相対的な移動を抑制することができる。したがって、紙組立体の形状安定性を十分に向上することができる。
【００１９】
内装材は、裏板から表板に向かって突出する突出部を有し、突出部は、収納部内において上下方向に延在して収納部を複数に区画することが好ましい。これによって、商品（被収納物）を収納して持ち運んだ場合に、商品の配列が乱れることを一層抑制することができる。また、商品の傾き又は倒れ込みが抑制されるので、商品の取り出しを容易にすることができる。さらに、商品を十分に整然と陳列することができる。
【００２０】
上記一対の筒体の一方面同士の位置関係を保持する保持手段を有することが好ましい。これによって、紙組立体を構成する一対の筒体同士の相対的な移動を抑制することができる。このため、紙組立体の形状安定性を十分に向上することができる。
【００２１】
取手部は、折り曲げ部の折線を介して対向するように係止手段と被係止手段とを有することが好ましい。これによって、取手部の形状が安定し、携帯性を一層優れたものとすることができる。
【００２２】
本発明は、さらに別の側面において、上述の紙組立体と、上記収納部に収納されている被収納物と、を備える収納体を提供する。この収納体は、上述の紙組立体を備えることから、携帯性に優れる。また、このような収納体によれば、被収納物である商品を陳列することできる。
【発明の効果】
【００２３】
一つの側面において、商品の陳列に用いることが可能であり、携帯性に優れる紙組立体及び収納体を提供することができる。また、別の側面において、上述の紙組立体及び収納体を容易に作製することが可能な紙箱及び梱包体を提供することができる。
【図面の簡単な説明】
【００２４】
【図１】図１は、一実施形態に係る紙箱の斜視図である。
【図２】図２は、図１の紙箱を別の方向からみたときの斜視図である。
【図３】図３は、図１の紙箱における箱本体部の一部を切り欠いて示す図である。
【図４】図４は、箱本体部に収容される内装材の斜視図である。
【図５】図５は、箱本体部に内装材の一部が挿入されたときの状態を示す図である。
【図６】図６は、箱本体部の蓋を閉鎖する前の紙箱の側部を示す一部拡大図である。
【図７】図７は、図１の紙箱の蓋を閉じる際の手順を説明するための図である。
【図８】図８は、箱本体部のジッパー部を切り取ったときの紙箱の外観を示す図である。
【図９】図９は、内装材の展開図である。
【図１０】図１０は、箱本体部の展開図である。
【図１１】図１１は、別の実施形態に係る紙箱の箱本体部に内装材の一部が挿入されたときの状態を示す図である。
【図１２】図１２は、一実施形態に係る梱包体における紙箱の一部を切り欠いて示す図である。
【図１３】図１３は、一実施形態に係る紙組立体の斜視図である。
【図１４】図１４は、一実施形態に係る紙組立体の正面図である。
【図１５】図１５は、一実施形態に係る紙組立体の背面図である。
【図１６】図１６は、一実施形態に係る紙組立体の左側面図である。
【図１７】図１７は、一実施形態に係る紙組立体の右側面図である。
【図１８】図１８は、一実施形態に係る紙組立体の平面図である。
【図１９】図１９は、一実施形態に係る紙組立体の底面図である。
【図２０】図２０は、一実施形態に係る紙組立体の下部の拡大断面図である。
【図２１】図２１は、別の実施形態に係る紙組立体の平面図である。
【図２２】図２２は、別の実施形態に係る紙組立体の下部の拡大断面図である。
【図２３】図２３は、さらに別の実施形態に係る紙組立体の下部の拡大断面図である。
【図２４】図２４は、一実施形態に係る収納体の図である。
【図２５】図２５は、別の実施形態に係る紙箱の変形例を示す斜視図である。
【発明を実施するための形態】
【００２５】
以下、場合により図面を参照して、本発明の一実施形態を説明する。ただし、以下の実施形態は、本発明を説明するための例示であり、本発明を以下の内容に限定する趣旨ではない。説明において、同一要素又は同一機能を有する要素には同一符号を用い、場合により重複する説明は省略する。また、上下左右等の位置関係は、特に断らない限り、図面に示す位置関係に基づくものとする。更に、各要素の寸法比率は図示の比率に限られるものではない。
【００２６】
図１は、本発明の一実施形態に係る紙箱を表板側からみたときの斜視図である。図２は、図１の紙箱を裏板側からみたときの斜視図である。紙箱１００は、略四角柱状の外形を有する紙製の容器である。紙箱１００は、その外形を構成する箱本体部１０を備える。箱本体部１０は、筒体１９と筒体１９の両端を開閉可能に設けられる蓋３０とを備える。
【００２７】
図１及び図２に示すように、筒体１９は、表板１２と、表板１２に対向して配置される裏板１４と、表板１２及び裏板１４の両側部に連設する一対の側板１６，１８を備える。表板１２は、筒体１９の周方向に沿ってその中央部に延在する、２条のミシン目で形成される帯状のジッパー部２２を有する。ジッパー部２２は、表板１２と側板１６，１８に連続して延在する。ジッパー部２２は、箱本体部１０から切り取ることが可能なように、複数の貫通孔で構成される。
【００２８】
表板１２と、裏板１４と、側板１６，１８は、略四角柱状の筒体１９を形成している。この筒体１９は、表板１２、裏板１４、側板１６、側板１８、及びのりしろ部となる部分を設けた一枚の台紙を折り曲げて、当該のりしろ部を、表板１２、裏板１４、側板１６、及び側板１８のいずれかの板に貼り合わせて形成されてもよい。
【００２９】
図２に示すように、裏板１４は、ジッパー部２２を形成するミシン目と平行に延在する折線２４を有する。紙箱１００を平面視したときに、折線２４は、ジッパー部２２を形成する２本のミシン目の中間位置に形成されている。裏板１４には折線２４が形成されていることから、裏板１４を、ジッパー部２２に向かって突出するように円滑に折り曲げることができる。
【００３０】
箱本体部１０は、裏板１４の両端に連設し、筒体１９の両端を開閉可能に設けられる蓋３０を備える。この蓋３０を開放することによって、筒体１９の端部から後述する内装材を出し入れできる。箱本体部１０は、一枚の台紙で形成されていてもよい。これによって、製造コストを低減することができる。
【００３１】
図３は、紙箱１００における箱本体部１０の一部を切り欠いて示す図である。すなわち、図３は、箱本体部１０の内部に内装材５０が収容されていることを示している。このように、紙箱１００は、箱本体部１０と、該箱本体部１０に収容されて複数の収納部１３を形成する内装材５０と、を備える。内装材５０は、箱本体部１０における蓋３０を開放して箱本体部１０の内部に挿入される。
【００３２】
図４は、内装材５０の斜視図である。内装材５０は、裏板１４と重なり合う支持部５２を有する。内装材５０は、支持部５２の両端にそれぞれ連設され、箱本体部１０に収容されたときに、筒体１９の両端において、裏板１４から表板１２に向かって突出するように設けられる差し込み部５７を有する。差し込み部５７は、例えば、台紙の両端を上方に折り曲げて形成することができる。
【００３３】
内装材５０の中央部には、支持部５２を縦断するように、裏板１４から表板１２に向かって突出し、ジッパー部２２を切り取った時に外部に露出する取手部５４が設けられる。取手部５４は、筒体１９の軸方向に延在する一対の折線５４ｂを谷折りにし、その間に延在する折線５４ａ山折りにすることで形成される。すなわち、取手部５４は、一枚の台紙を用いて折り上げて形成することができる。
【００３４】
差し込み部５７及び取手部５４は、内装材５０の横方向（幅方向）の中央部において、突出部５８で分断されている。突出部５８は、取手部５４と同様に、上方に突出する形状を有しており、取手部５４の長手方向に直交して延在する一対の折線５８ｂを谷折りにし、その間に延在する折線５８ａを山折りにして形成されている。突出部５８は、一端側の差し込み部５７から他端側の差し込み部５７に向かって内装材５０の中央部を横断するように形成される。突出部５８は、図４に示すように一つであってもよいし、互いに平行に延在するように２つ以上形成されていてもよい。また、突出部５８はなくてもよい。
【００３５】
取手部５４は、山折りを形成する折線５４ａを介して対向するように係止手段である舌片６２と被係止手段であるスリット６６とを有する。舌片６２をスリット６６に係止することによって、取手部５４を構成するための折り形状が安定して支持される。舌片６２とスリット６６は、山折りを形成する折線５４ａと谷折りを形成する折線５４ｂとの間又は折線５４ｂ上に形成されている。図４では、取手部５４のみが、舌片６２をスリット６６に係止して支持されているが、突出部５８も、取手部５４と同様に、舌片をスリットに係止して、折り形状が支持されるようにしてもよい。
【００３６】
図５は、箱本体部１０に内装材５０の一部が挿入されたときの状態を示す図である。筒体１９は、側板１６，１８の一端にフラップ４２が連設されている。図５に図示されていないが、筒体１９は、側板１６，１８の他端にもフラップ４２が連設されている。すなわち、筒体１９は、合計で４つのフラップ４２を有する。フラップ４２は、折線１０ｇ，１０ｈを介して側板１６，１８に連設され、側板１６，１８の端部を中心軸として旋回可能に構成される。
【００３７】
内装材５０は、筒体１９の蓋３０を開放するとともに、フラップ４２を外側に拡げた状態で、筒体１９内に挿入される。内装材５０は、筒体１９の側板１６，１８と、突出部５８の長手方向が平行であり、且つ、筒体１９の側板１６，１８と、取手部５４の長手方向が直交するように、箱本体部１０内に収容される。筒体１９の内側の幅と、内装材５０の支持部５２の幅とを一致させることによって、突出部５８に舌片及びこれを係止するスリットを設けなくても、箱本体部１０に収容されたときに突出部５８の形状を安定的に維持することができる。なお、突出部５８にも、山折りを形成する折線５８ａを介して対向するように舌片及びこれを係止するスリットを設けてもよい。
【００３８】
図６は、箱本体部１０の蓋３０を閉鎖する前の紙箱１００の側部を示す一部拡大図である。なお、図６には、紙箱１００の一方の側部しか示されていないが、紙箱１００の他方の側部も同様の構成を有する。図６では、筒体１９の中に、内装材５０が挿入されている。図６には、裏板１４の一端側に連設されている蓋３０が示されている。図６には示されていないが、裏板１４の他端側にも蓋３０が連設されている。すなわち、フラップ４２が連設する側板１６，１８とは異なる板である裏板１４の両端に、折線を介して蓋３０がそれぞれ連設されている。ここでフラップ４２が連設する側板１６，１８と、蓋３０が連設する裏板１４は、互いに直交する位置関係にある。
【００３９】
蓋３０は、筒体１９の両端を閉鎖可能に設けられる蓋本体部３４と、蓋本体部３４の先端側に谷折りを形成する３４ａを介して連設する鍔部３２とを有する。鍔部３２を、フラップ４２が連設する側板１６，１８及び蓋本体部３４が連設する裏板１４とは異なる板である表板１２と内装材５０との間に挿入することによって、筒体１９の両端が閉鎖される。蓋３０で筒体１９の両端を閉鎖する際、図６に示すように、筒体１９の外側から内側に向かって、蓋本体部３４、差し込み部５７及びフラップ４２がこの順で並ぶように配置する。図６に示す箱本体部１０の側部とは逆側の側部においても、蓋３０を開放して、筒体１９の外側から内側に向かって、蓋本体部３４、差し込み部５７及びフラップ４２がこの順で並ぶように配置する。
【００４０】
図７は、箱本体部１０の蓋３０を閉じる際の手順を説明するための図である。図６に示すように、筒体１９の外側から内側に向かって、蓋本体部３４、差し込み部５７及びフラップ４２がこの順で並ぶように配置した後、差し込み部５７を筒体１９の端部に向かって押し付けながら、蓋３０の鍔部３２を表板１２と、筒体１９の内部に挿入されている内装材５０との間に挿入する。これによって、筒体１９の端部が閉鎖され、差し込み部５７が、フラップ４２と蓋本体部３４との間に挟持されることとなる。図７に示す箱本体部１０の側部とは逆側の側部においても、開放した蓋３０を、同様の手順で閉じる。これによって、筒体１９の両端部が閉鎖されて、両端部において、差し込み部５７が、フラップ４２と蓋本体部３４との間に挟持される。
【００４１】
内装材５０の差し込み部５７が、箱本体部１０のフラップ４２と蓋本体部３４との間に挟持されることから、箱本体部１０に対する内装材５０の相対的な移動が規制される。このため、例えば、図８に示すように、ジッパー部２２を開放して形成される開放部８０に向かって（図８中の上方向）突出するように裏板１４を折り曲げて紙組立体とした場合に、取手部５４を把持して持ち運んでも、内装材５０が箱本体部１０から離脱することを十分に抑制することができる。したがって、紙箱１００から得られる紙組立体は、携帯性に優れる。
【００４２】
図３に示すように、紙箱１００は、箱本体部１０に収容されて、収納部１３を形成する内装材５０を備える。この収納部１３には、被梱包物を収納することができる。紙箱１００に被梱包物を収納する梱包体とすれば、被梱包物を入れた収納体として持ち運ぶことができる。図８に示すように、ジッパー部２２を切り取り、開放部８０に向かって突出するように裏板１４を折り曲げることによって、商品の陳列が可能であり、携帯性に優れる紙組立体及び収納体を容易に作製することができる。
【００４３】
図９は、内装材５０の展開図である。図９に示すように、内装材５０は、一枚の台紙５０’で形成されていてもよい。互いに平行な３本の折線５４ｂ，５４ａ，５４ｂからなる第１折線群が、台紙５０’の中央部を縦断するように延在している。折線５４ａは、２つの折線５４ｂの中間に位置している。また、互いに平行な３本の折線５８ｂ，５８ａ，５８ｂからなる第２折線群が、台紙５０’の中央部を横断するように延在している。第１折線群と第２折線群は、台紙５０’の中心部において交差している。交差部９４では台紙が打ち抜かれている。すなわち、第１折線群及び第２折線群は、交差部９４において分断されている。また、台紙５０’の両側部には、一対の折線５８ｂの延長線で挟まれる領域よりも外側の領域に、折線５７ａを介して差し込み部５７が形成されている。折線５４ｂ、折線５８ｂ及び折線５７ａで区画される４つの領域は、支持部５２となる。
【００４４】
第１折線群における折線５４ｂの一方と折線５４ａとの間には、係止手段となる舌片６２が形成されている。また折線５４ｂの他方と折線５４ａとの間、又は、折線５４ｂの他方上には、被係止手段となるスリット６６が形成されている。折線５４ａを山折りとし、一対の折線５４ｂを谷折りとした状態で、舌片６２をスリット６６に差し込んで係止することによって、突起状の取手部５４が形成される。また、折線５８ａを山折りとし、一対の折線５８ｂを谷折りとすることによって、収納部１３を複数に区画する突出部５８が形成される。さらに、折線５７ａを谷折りとすることによって、下方から上方に突出する差し込み部５７が形成される。このようにして、内装材５０が形成される。
【００４５】
図１０は、箱本体部１０の展開図である。図１０に示すように、箱本体部１０は、一枚の台紙１０’で形成されていてもよい。台紙１０’には、裏板１４、側板１６、表板１２、及び側板１８となる部分がこの順に並んで連設されている。裏板１４の中央部を横断するように折線２４が形成されている。裏板１４の両端には、折線１０ａを介して蓋３０が連設されている。蓋３０は、裏板１４側から蓋本体部３４と鍔部３２とを有しており、蓋本体部３４と鍔部３２は折線１０ｂで区画されている。鍔部３２は、紙箱１００の組み立て時に挿入し易くするため、先端に向かって細くなるようにテーパー状に形成されている。
【００４６】
裏板１４と側板１６との境界には、折線１０ｄが延在している。側板１６の両端には、折線１０ｇを介してフラップ４２が連設されている。側板１６と表板１２との境界には、折線１０ｅが延在している。表板１２と側板１８との境界には折線１０ｆが延在している。側板１８の両端には、折線１０ｈを介してフラップ４２が連設されている。側板１６、表板１２及び側板１８の中央部を横断するように、２条のミシン目で構成される帯状のジッパー部２２が形成されている。台紙１０’は、折線２４を除く各折線において折り曲げられて箱本体部１０が作製される。裏板１４の側板１６側とは反対側の側部にはのりしろ部７２が設けられている。こののりしろ部７２と側板１８とを貼り合わせることによって、箱本体部１０を形成することができる。
【００４７】
図９及び図１０に示すような構造を有する一枚の台紙をそれぞれ用いて、内装材５０及び箱本体部１０を作製することができる。これによって、製造コストを低減することができる。ただし、内装材５０及び箱本体部１０は、一枚の台紙を用いて作製されたものに限定されず、複数の台紙を組み合わせて作成されたものであってもよい。台紙としては、例えば、紙器用板紙又は段ボール原紙等を用いることができる。ただし、台紙の種類もこれらに限定されるものではない。
【００４８】
本発明の紙箱は上述の実施形態に限定されるものではない。図１１は、別の実施形態に係る紙箱１１０の箱本体部１０Ｘに内装材５０の一部が挿入されたときの状態を示す図である。紙箱１１０では、蓋本体部３４Ｘが表板１２の両端部に連設し、フラップ４２が側板１６，１８の両端部に連設している。蓋本体部３４Ｘの先端部に連設された鍔部３２Ｘは、裏板１４と内装材５０との間に挿入されて、筒体１９の両端部を閉鎖する。紙箱１１０のその他の構成は、紙箱１００と同様とすることができる。紙箱１１０も、図８に示すようにジッパー部２２を切り取り、開放部８０に向かって突出するように裏板１４を折り曲げることによって、商品の陳列が可能であり、携帯性に優れる紙組立体及び収納体を容易に作製することができる。
【００４９】
図１２は、本発明の一実施形態に係る梱包体１５０における紙箱１００の一部を切り欠いて示す図である。梱包体１５０は、紙箱１００と紙箱１００の収納部１３に収納されている被梱包物７０とを備える。梱包体１５０は、紙箱１００を備えることから、携帯性に優れる収納体を容易に作製することができる。また、梱包体１５０は、被梱包物７０を商品として陳列するのに適した収納体を容易に作製することができる。なお、紙箱１００に代えて、紙箱１１０を用いてもよいことはいうまでもない。
【００５０】
図１３は、本発明の一実施形態に係る紙組立体２００の斜視図である。図１４は、紙組立体２００の正面図であり、図１５は、紙組立体２００の背面図である。図１６は、紙組立体２００の左側面図である。図１７は、紙組立体２００の右側面図である。紙組立体２００は、図１の紙箱１００から図８に示すように帯状のジッパー部２２を切り取り、開放部８０に向かって突出するように裏板１４を折り曲げることによって得てもよい。紙組立体２００は、一対の筒体１９Ａ，１９Ｂと、一対の筒体１９Ａ，１９Ｂの下端にそれぞれ設けられる一対の蓋３０とで構成される収納部１３をそれぞれ有する一対の箱体１０Ａ，１０Ｂを備える。
【００５１】
図１６、図１７に示されるように、一対の筒体１９Ａ，１９Ｂは、裏板１４Ａ，１４Ｂの表面同士（筒体１９Ａ，１９Ｂの一方面同士）が対向するように配置され、裏板１４Ａ，１４Ｂの上端において連結されている。裏板１４Ａは、一枚の台紙を背合わせ状に山折りに折り曲げて形成されている。山折りを形成する折線２４が筒体１９Ａ，１９Ｂの連結部をなしている。折線２４で２つに区画される２つの板のそれぞれが、一対の筒体１９Ａ，１９Ｂにおける裏板１４Ａ，１４Ｂをなしている。このように、裏板１４Ａ，１４Ｂは、折線２４を介して連設されている。裏板１４Ａ，１４Ｂは、それぞれ、双方の位置関係を保持する保持手段を有していてもよい。保持手段としては、両面テープ又は接着剤であってもよいし、フックとこれを係止するスリットなど、被係止部と係止部をそれぞれ備えていてもよい。
【００５２】
図１３，図１６及び図１７に示すように、紙組立体２００は、上端において互いに連結されている２つの裏板１４Ａ，１４Ｂを上から挟んで上方に突出するように山折りに折り曲げられている内装材５０を備える。図１３に示すように、内装材５０の両下端部は、箱体１０Ａ，１０Ｂの収納部１３内に挿入されている。図１３，図１６及び図１７に示すように、筒体１９Ａは、別の筒体１９Ｂと連結される裏板１４Ａと、裏板１４Ａと対向するように配置される表板１２Ａと、裏板１４Ａ及び表板１２Ａの両側部に連設する一対の側板１６Ａ，１８Ａとを備える。筒体１９Ｂも、筒体１９Ａと同様の構成を備える。
【００５３】
図１４，図１５に示すように、内装材５０は、上端部に折り曲げ部の折線５４ａを含む取手部５４と、取手部５４の下端に連設し、裏板１４と重なり合うように配置される支持部５２とを備える。内装材５０は、上下方向に延在し、裏板１４Ａ（１４Ｂ）から表板１２Ａ（１２Ｂ）に向かって突出して収納部１３を区画する突出部５８を有する。このような突出部５８を備えることによって、紙組立体の収納部１３に被収納物を収納して持ち運んだ場合でも、被収納物の配列の乱れを十分に抑制することができる。また、被収納物の幾つかが取り出された後であっても、収納部１３内に残存する被収容物が倒れ込んでしまうことを抑制し、取り出しを容易にすることができる。
【００５４】
図１５に示すように、取手部５４は、折り曲げ部（山折り部）の折線５４ａを介して対向するように舌片６２とこれを係止するスリット６６とを備える。舌片６２をスリット６６に係止することによって取手部５４の形状が支持されている。なお、舌片６２とこれを係止するスリット６６とを備えることは必須ではなく、別の被係止手段及び係止手段を有していてもよいし、被係止手段及び係止手段を有していなくてもよい。
【００５５】
図１８は、紙組立体２００の平面図である。図１９は、紙組立体２００の底面図である。図１８に示すように、紙組立体２００における一対の箱体１０Ａ，１０Ｂには、それぞれ２つの収納部１３が形成されている。収納部１３の底部は、蓋３０で閉鎖されている。蓋３０は、図６に示すように、蓋本体部３４とその先端に連設される鍔部３２とを有しており、鍔部３２は、表板１２Ａ，１２Ｂと内装材５０との間に挿入されている。内装材５０における突出部５８は、鍔部３２を表板１２Ａ，１２Ｂ側に付勢するように機能してもよい。紙組立体２００の収納部１３に被収納物を収納して持ち運ぶ際に、被収納物の重量によって蓋３０が開放してしまうことを十分に抑制することができる。
【００５６】
図１８に示すように、紙組立体２００を平面視すると、側板１６Ａ，１６Ｂ，１８Ａ，１８Ｂの下端にフラップ４２がそれぞれ連設しており、フラップ４２は収納部１３側に折られた状態で収納部１３の底部に配置されている。フラップ４２の下側には、内装材５０の差し込み部５７が配置され、さらにその下側には蓋本体部３４が配置されている。内装材５０の差し込み部５７は、フラップ４２と蓋本体部３４との間に挟持されている。これによって、箱体１０Ａ，１０Ｂに対する内装材５０の相対的な移動が規制される。このため、取手部５４を把持して紙組立体２００を持ち運んでも、内装材５０が箱体１０Ａ，１０Ｂから離脱することを十分に抑制することができる。したがって、紙組立体２００は携帯性に優れる。図１９に示すように、蓋本体部３４は箱体１０Ａ，１０Ｂの底板をなしている。
【００５７】
紙組立体２００において、蓋３０及びフラップ４２は、それぞれ裏板１４Ａ，１４Ｂの下端部及び側板１６Ａ，１６Ｂ，１８Ａ，１８Ｂの下端部に連設されていたが、このような実施形態に限定されない。例えば、紙組立体２００は、紙箱１１０を用いて作製してもよい。
【００５８】
図２０は、紙組立体２００の下部の拡大断面図である。すなわち、図１４のＸＸ−ＸＸ線に沿って切断して得られる断面の下部を拡大して示す断面図である。なお、図２０では、説明の便宜上、各部材の厚みを大きくして示しているが、実際の厚みはこれよりも薄くてもよい。紙組立体２００では、裏板１４Ａ，１４Ｂが背合わせ状に重ね合わせられている。裏板１４Ａ，１４Ｂの下端に連設される蓋本体部３４は、紙組立体２００の底板をなしている。内装材５０の差し込み部５７は、紙組立体２００の底部において、蓋本体部３４とフラップ４２との間に挟持されている。蓋３０の鍔部３２は、表板１２Ａ，１２Ｂと差し込み部５７及びフラップ４２との間に挟み込まれている。フラップ４２のみならず、差し込み部５７の先端が蓋３０の鍔部３２に当接しているため、蓋３０が意図せず開放してしまうことが抑制される。
【００５９】
図２１は、別の実施形態である紙組立体２１０を示す平面図である。紙組立体２１０は、例えば、図１１に示す紙箱１１０を組み立てて得ることができる。紙組立体２１０では、紙組立体２００と同様に、側板１６Ａ，１６Ｂ，１８Ａ，１８Ｂの下端部に連設されているフラップ４２が、収納部１３側に折り込まれている。そして、箱体１０Ａ，１０Ｂの底板をなす蓋本体部３４Ｘが、表板１２Ａ，１２Ｂの下端部に連設されている。
【００６０】
図２２は、紙組立体２１０の下部の拡大断面図である。すなわち、図２０と同様の部分を示す断面図である。なお、図２２では、説明の便宜上、各部材の厚みを大きくして示しているが、実際の厚みはこれよりも薄くてもよい。紙組立体２１０では、裏板１４Ａ，１４Ｂが背合わせ状に重ね合わせられている。蓋本体部３４Ｘの先端に連設する鍔部３２Ｘは、裏板１４Ａ，１４Ｂと内装材５０との間に挿入されている。鍔部３２Ｘは、内装材５０の支持部５２に接しており、裏板１４Ａ，１４Ｂと支持部５２と間に挟み込まれていることから、蓋３０Ｘが意図せず開放してしまうことを十分に抑制することができる。
【００６１】
紙組立体２１０は、図２１及び図２２に示されるように、紙組立体２００の蓋３０の代わりに蓋３０Ｘを有する点で、紙組立体２００と異なっている。紙組立体２１０のその他の構成は、紙組立体２００と同様とすることができる。紙組立体２１０の差し込み部５７は、フラップ４２と蓋本体部３４Ｘとの間に挟持されている。したがって、箱体１０Ａ，１０Ｂに対する内装材５０の相対的な移動が規制される。このため、取手部を把持して紙組立体２１０を持ち運んでも、内装材５０が箱体１０Ａ，１０Ｂから離脱することを十分に抑制することができる。したがって、紙組立体２１０も携帯性に優れる。
【００６２】
図２３は、さらに別の実施形態に係る紙組立体２３０の下部の拡大断面図である。すなわち、図２２と同様の部分を示す断面図である。なお、図２３では、説明の便宜上、各部材の厚みを大きくして示しているが、実際の厚みはこれよりも薄くてもよい。紙組立体２３０では、裏板１４Ａ，１４Ｂが背合わせ状に重ね合わせられている。そして、一方の筒体１９Ｂの表板１２Ｂの下端に連設される蓋３０Ｚの鍔部３２Ｚは、他方の筒体１９Ａの表板１２Ａの下端に連接される蓋３０Ｘの鍔部３２Ｘと、裏板１４Ａとの間に挿入されている。蓋３０Ｚの蓋本体部３４Ｚは、一方の筒体１９Ｂの下端を閉鎖するとともに、裏板１４Ａ，１４Ｂの下端に当接している。
【００６３】
蓋３０Ｚは、一対の箱体１０Ａ，１０Ｂを連結する機能を有している。これによって、裏板１４Ａ，１４Ｂの折り曲げ形状が保持され、箱体１０Ａ，１０Ｂの相対的な移動を抑制することができる。このため、紙組立体２３０の形状安定性を十分に向上することができる。なお、蓋３０Ｚ以外の構成は、紙組立体２１０と同様とすることができる。
【００６４】
図２４は、一実施形態に係る収納体２５０の図である。収納体２５０は、紙組立体２００と、紙組立体２００の収納部１３に収納される被収納物７０と、を備える。被収納物としては、スティック形状に包装フィルムに封入されたお茶及びコーヒー等の飲食物が挙げられる。収納体２５０は、紙組立体２００を備えることから携帯性に優れる。収納体は、このような実施形態に限定されない。収納体は、紙組立体２００に代えて、紙組立体２１０，２３０のいずれかを備えていてもよい。被収納物は、スティック形状に限定されず、ティーパック等が密封された袋状のものであってもよい。
【００６５】
以上、本発明の実施形態について説明したが、本発明は上記実施形態に何ら限定されるものではない。例えば、各実施形態の要素を組み合わせてもよい。図２５は、図１１に示す紙箱１１０の変形例に係る紙箱１１０Ａの斜視図である。この変形例では、裏板１４の両端部に、蓋３０Ｘの開放作業を容易にするために略半円状の切欠き部９０を設けてもよい。切欠き部９０は、鍔部３２Ｘが露出する形状であれば、特に限定されない。また、紙箱１００の表板１２にこれと同様の切欠き部を設けてもよい。
【産業上の利用可能性】
【００６６】
商品の陳列に用いることが可能であり、携帯性に優れる紙組立体及び収納体が提供される。また、上述の紙組立体及び収納体を容易に作製することが可能な紙箱及び梱包体が提供される。
【符号の説明】
【００６７】
１０…箱本体部、１０Ａ，１０Ｂ…箱体、１０’…台紙、１０Ｘ…箱本体部、１２，１２Ａ，１２Ｂ…表板、１３…収納部、１４，１４Ａ，１４Ｂ…裏板，１６，１８…側板、１６，１８，１６Ａ，１６Ｂ，１８Ａ，１８Ｂ…側板、１９，１９Ａ，１９Ｂ…筒体、２２…ジッパー部、２４…折線、３０，３０Ｘ，３０Ｚ…蓋、３２，３２Ｘ…鍔部、４２，４２Ｙ…フラップ、５０…内装材、５０’…台紙、５２…支持部、５４…取手部、５７…差し込み部、５８…突出部、６２…舌片、６６…スリット、７０…被梱包物（被収納物）、７２…のりしろ部、８０…開放部、９０…切欠き部、１００，１１０，１１０Ａ…紙箱、１５０…梱包体、２００，２１０，２３０…紙組立体、２５０…収納体。
【図１】
2017149470.tif 000003
【図２】
2017149470.tif 000004
【図３】
2017149470.tif 000005
【図４】
2017149470.tif 000006
【図５】
2017149470.tif 000007
【図６】
2017149470.tif 000008
【図７】
2017149470.tif 000009
【図８】
2017149470.tif 000010
【図９】
2017149470.tif 000011
【図１０】
2017149470.tif 000012
【図１１】
2017149470.tif 000013
【図１２】
2017149470.tif 000014
【図１３】
2017149470.tif 000015
【図１４】
2017149470.tif 000016
【図１５】
2017149470.tif 000017
【図１６】
2017149470.tif 000018
【図１７】
2017149470.tif 000019
【図１８】
2017149470.tif 000020
【図１９】
2017149470.tif 000021
【図２０】
2017149470.tif 000022
【図２１】
2017149470.tif 000023
【図２２】
2017149470.tif 000024
【図２３】
2017149470.tif 000025
【図２４】
2017149470.tif 000026
【図２５】
2017149470.tif 000027